(57)【特許請求の範囲】
【請求項１】
暗号化された入稿データに基づいて印刷出力を行う印刷システムであって、
前記入稿データを復号化する復号部を内蔵する印刷装置と、
前記入稿データに関する編集操作を受け付ける編集装置と、
を備え、
前記編集装置は、前記編集操作に関する編集範囲の指定を受け付け、前記編集範囲に基づいて編集用画像の生成処理を実行すべき旨の実行指令を、前記印刷装置に向けて送信し、
前記印刷装置は、
前記実行指令に応答して、前記入稿データを前記復号部を用いて復号化した画像に対して処理を施し、前記入稿データに関する印刷物に関する全体画像のうち一部の範囲に係る復号化画像である非等価復号化画像を、指定された前記編集範囲に基づいて前記編集用画像として生成するとともに、前記非等価復号化画像を前記編集装置に向けて送信し、
前記編集装置は、前記非等価復号化画像を前記編集用画像として表示することを特徴とする印刷システム。
【請求項２】
請求項１に記載の印刷システムにおいて、
前記編集装置は、前記非等価復号化画像を用いて前記入稿データに関する編集指示を受け付け、前記編集指示に基づく編集内容を示す編集内容データを、前記入稿データに関連付けて保存させることを特徴とする印刷システム。
【請求項３】
請求項２に記載の印刷システムにおいて、
前記印刷装置は、前記復号部を用いて前記入稿データを復号化した画像に対して、前記編集内容データに基づく編集処理を施して、編集処理後の印刷出力用画像を作成し、当該印刷出力用画像を印刷出力することを特徴とする印刷システム。
【請求項４】
請求項１ないし請求項３のいずれかに記載の印刷システムにおいて、
前記編集装置は、前記編集操作において変更前の文字と変更後の文字とに関する指定をさらに受け付けることを特徴とする印刷システム。
【発明の詳細な説明】
【技術分野】
【０００１】
本発明は、印刷システムに関する。
【背景技術】
【０００２】
発注者側装置から印刷会社内の装置（受注者側装置）に対してネットワークを介して印刷物のデータ（電子文書）を送信（入稿）するシステムが存在する（たとえば、特許文献１等参照）。
【０００３】
また、このようなシステムの中には、セキュリティを向上させるため、印刷会社内の印刷装置に内蔵された復号部においてのみ入稿データの復号化が可能なシステムが存在する。当該システムにおいては、印刷会社内において入稿データの復号化を行うことができるのは印刷装置のみであるため、高いセキュリティを確保することが可能である。
【先行技術文献】
【特許文献】
【０００４】
【特許文献１】特開２００６−１１９１６号公報
【発明の概要】
【発明が解決しようとする課題】
【０００５】
しかしながら、このようなシステムにおいては、印刷会社側（受注者側）では修正を行うことはできない。そのため、細かな修正であっても入稿者側（発注者側）で修正操作を行って、修正後のデータを入稿者側から印刷会社側へと再度送信する必要がある。このように、当該システムは、修正の自由度が小さいという問題を有している。
【０００６】
そこで、この発明の課題は、セキュリティを確保しつつ、修正の自由度を向上させることが可能な印刷システムを提供することにある。
【課題を解決するための手段】
【０００７】
上記課題を解決すべく、請求項１の発明は、暗号化された入稿データに基づいて印刷出力を行う印刷システムであって、前記入稿データを復号化する復号部を内蔵する印刷装置と、前記入稿データに関する編集操作を受け付ける編集装置とを備え、前記編集装置は、前記編集操作に関する編集範囲の指定を受け付け、前記編集範囲に基づいて編集用画像の生成処理を実行すべき旨の実行指令を、前記印刷装置に向けて送信し、前記印刷装置は、前記実行指令に応答して、前記入稿データを前記復号部を用いて復号化した画像に対して処理を施し、前記入稿データに関する印刷物に関する全体画像のうち一部の範囲に係る復号化画像である非等価復号化画像を、指定された前記編集範囲に基づいて前記編集用画像として生成するとともに、前記非等価復号化画像を前記編集装置に向けて送信し、前記編集装置は、前記非等価復号化画像を前記編集用画像として表示することを特徴とする。
【０００８】
請求項２の発明は、請求項１の発明に係る印刷システムにおいて、前記編集装置は、前記非等価復号化画像を用いて前記入稿データに関する編集指示を受け付け、前記編集指示に基づく編集内容を示す編集内容データを、前記入稿データに関連付けて保存させることを特徴とする。
【０００９】
請求項３の発明は、請求項２の発明に係る印刷システムにおいて、前記印刷装置は、前記復号部を用いて前記入稿データを復号化した画像に対して、前記編集内容データに基づく編集処理を施して、編集処理後の印刷出力用画像を作成し、当該印刷出力用画像を印刷出力することを特徴とする。
【００１０】
請求項４の発明は、請求項１ないし請求項３のいずれかの発明に係る印刷システムにおいて、前記編集装置は、前記編集操作において変更前の文字と変更後の文字とに関する指定をさらに受け付けることを特徴とする。
【発明の効果】
【００１３】
請求項１ないし請求項４に記載の発明によれば、印刷装置は、その復号部を用いて入稿データを復号化した画像に基づいて、入稿データに関する印刷物に関する全体画像のうち一部の範囲に係る復号化画像である非等価復号化画像を編集用画像として生成するとともに、非等価復号化画像を編集装置に向けて送信する。そして、編集装置は、非等価復号化画像を編集用画像として表示する。そのため、印刷装置の復号部のみが入稿データの復号化処理を行うことが可能である状態を維持しつつ、編集装置による編集操作が許容される。したがって、セキュリティを確保しつつ、修正の自由度を向上させることが可能である。特に、編集装置においては、全体画像のうち一部の範囲のみが復号化された非等価画像が編集用画像として表示されるため、画像表示が無制限に許容される場合と比較して、元の印刷物と等価の情報が編集装置から流出する危険を回避ないし抑制することが可能である。
【図面の簡単な説明】
【００１４】
【図１】印刷システムの構成を示す概略図である。
【図２】編集装置等の概略構成を示すブロック図である。
【図３】メニュー画面を示す図である。
【図４】「ページ入替」に関する編集動作を示す図である。
【図５】編集用画像の表示画面を示す図である。
【図６】確認用画像の表示画面を示す図である。
【図７】「ゴミ取り」に関する編集動作を示す図である。
【図８】編集用画像の表示画面を示す図である。
【図９】編集用画像の表示画面を示す図である。
【図１０】確認用画像の表示画面を示す図である。
【図１１】編集用画像の表示画面を示す図である。
【図１２】印刷動作を示す図である。
【発明を実施するための形態】
【００１５】
以下、本発明の実施形態を図面に基づいて説明する。
【００１６】
＜１．システム構成＞
図１は、印刷システム１の構成を示す概略図である。
【００１７】
図１に示すように、印刷システム１は、入稿者側端末１０と入稿データストア（入稿データ記憶装置）３０と印刷装置５０と編集装置７０とを備える。入稿者側端末１０は発注者側会社内に配置され、入稿データストア３０と印刷装置５０と編集装置７０とは受注者側会社（印刷会社等）内に配置される。
【００１８】
印刷システム１は、入稿データＤＮに基づいて印刷出力を行うシステムである。詳細には、入稿者側端末１０を用いて暗号化されたデータファイル（入稿データとも称する）ＤＮが、ネットワーク等を介して入稿者側端末１０から入稿データストア３０へと転送される。入稿データＤＮは暗号化されているため、秘匿状態を確保しつつ入稿データを入稿者側端末１０から入稿データストア３０へと送信することができる。なお、データの秘匿性をより確実に確保するためには、入稿データ自体を暗号化して秘匿することに加えて、送信経路として所定の暗号経路等を用いることが更に好ましい。
【００１９】
その後、入稿データＤＮは、印刷装置５０に内蔵された復号部６３（図２参照）を用いて復号化（暗号状態が解除）され、印刷装置５０により印刷出力される。これにより、入稿データＤＮに係る印刷出力物が生成される。
【００２０】
また、この印刷システム１においては、印刷出力に先立って、編集装置７０等を用いて、入稿データＤＮに関する編集処理を行うことが可能である。ただし、印刷システム１においては、入稿データＤＮに関する復号化処理は、受注者側会社（印刷会社等）内に配置された複数の装置（具体的には、入稿データストア３０、印刷装置５０および編集装置７０）のうち、印刷装置５０（詳細にはその復号部６３）のみによって行われる。編集装置７０は復号部を有しておらず、入稿データＤＮに関する復号化処理は、編集装置７０によっては行われない。そして、編集処理中の編集画面に表示される編集用画像は、印刷装置５０内の復号部６３を用いた復号化処理を伴って生成される。このような編集処理については後に詳述する。
【００２１】
図２は、入稿データストア３０、印刷装置５０および編集装置７０の概略構成を示すブロック図である。
【００２２】
編集装置７０は、入稿データＤＮに関する編集操作を受け付ける装置である。編集装置７０は、通信部７４、記憶部７５、入力部７６、表示部７７、指示入力部８１、表示制御部８２、編集ジョブ制御部８３および印刷ジョブ制御部８４等を備えており、これらの各部を複合的に動作させることによって、各種の機能を実現する。
【００２３】
通信部７４は、ネットワーク通信を行う処理部である。このネットワーク通信では、ＴＣＰ／ＩＰ（Transmission Control Protocol / Internet Protocol）およびＦＴＰ（File Transfer Protocol）等の各種のプロトコルが利用される。当該ネットワーク通信を利用することによって、編集装置７０は、印刷装置５０との間、および入稿データストア３０との間で、それぞれ各種のデータを授受することが可能である。なお、編集装置７０と印刷装置５０と入稿データストア３０とを接続するネットワークは、秘匿性をより確実に確保するため、外部との通信が制限された社内向けのネットワーク（受注者側会社内専用ネットワーク等）であることが好ましい。
【００２４】
記憶部７５は、半導体メモリおよびハードディスクドライブ（ＨＤＤ）等の格納デバイスを有する。記憶部７５は、入稿データストア３０から送信されてきた入稿データＤＮを一時的に記憶する。
【００２５】
入力部７６は、編集装置７０に対する操作入力を受け付ける操作入力デバイス（キーボードおよびマウス等）を有する。
【００２６】
表示部７７は、各種情報の表示出力を行う表示出力デバイス（液晶ディスプレイ等）を有する。
【００２７】
編集装置７０は、一般的なパーソナルコンピュータ等として構成される。具体的には、編集装置７０は、ＣＰＵおよび各種の半導体メモリ（ＲＡＭおよびＲＯＭ等）等を備えるコンピュータシステムとして構成される。なお、入稿者側端末１０も同様に一般的なパーソナルコンピュータ等として構成される。
【００２８】
編集装置７０は、所定のソフトウエアプログラム（以下、単にプログラムとも称する）ＰＧ１をＣＰＵ等を用いて実行することによって、指示入力部８１、表示制御部８２、編集ジョブ制御部８３および印刷ジョブ制御部８４を実現する。
【００２９】
指示入力部８１は、編集装置７０の操作者ＰＢからの各種指示（編集指示および印刷指示等）を受け付ける処理部であり、表示制御部８２は、各種の情報を表示部７７に表示させる動作を制御する処理部である。
【００３０】
編集ジョブ制御部８３は、編集装置７０の操作者ＰＢからの編集指示に応じた動作を制御する処理部である。編集ジョブ制御部８３は、指示入力部８１、表示制御部８２、通信部７４、記憶部７５、入力部７６および表示部７７等と協働して、当該動作を制御する。
【００３１】
印刷ジョブ制御部８４は、編集装置７０の操作者ＰＢからの印刷指示に応じた動作を制御する処理部である。印刷ジョブ制御部８４は、指示入力部８１、表示制御部８２、通信部７４、記憶部７５、入力部７６および表示部７７等と協働して、当該動作を制御する。
【００３２】
また、入稿データストア（入稿データ記憶装置）３０は、ハードディスクなどの大容量記憶媒体で構成されるデータ記憶部３１と、通信部３４とを備えて構成される。データ記憶部３１には、入稿者側端末１０からの入稿データ（暗号化されたデータ）が暗号化されたままの状態（秘匿状態）で格納される。
【００３３】
さらに、印刷装置５０は、各種方式による印刷出力部５１と通信部５４と出力制御部６１とを備えており、印刷出力物を生成（出力）することが可能である。
【００３４】
出力制御部６１は、暗号化された入稿データＤＮを復号化する復号部６３を有している。出力制御部６１は、暗号化状態の入稿データＤＮを復号部６３により復号化して印刷出力用データを生成し、印刷出力部５１は、当該印刷出力用データに基づいて、入稿データＤＮに係る印刷出力物を生成する。
【００３５】
また、出力制御部６１は、編集装置７０からの各種の指令に基づいて、入稿データＤＮを復号部６３を用いて復号化した画像に対して処理を施して「非等価復号化画像」（後述）を生成する処理等をも実行する。
【００３６】
＜２．動作＞
＜２−１．動作概要＞
つぎに、印刷システム１における動作について説明する。
【００３７】
図１に示すように、まず、入稿者側端末１０は、入稿者ＰＡの操作入力に応じて、印刷物に係るデータ（電子文書等）を暗号化して、暗号化されたデータ（暗号化データ）を生成する。そして、この暗号化データが、入稿データＤＮとして、入稿者側端末１０から入稿データストア３０へと送信される。以後、印刷システム１においては、入稿データＤＮに対する編集操作等を、（入稿者側端末１０を用いることなく）編集装置７０を用いて行うことも可能である。
【００３８】
以下では、このような編集操作等について詳細に説明する。
【００３９】
編集装置７０においては、上述のプログラムＰＧ１が実行されており、プログラムＰＧ１に関するメニュー画面ＭＮ（図３参照）が表示されている。
【００４０】
メニュー画面ＭＮは、各種のメニュー項目（大項目および小項目）を有している。具体的には、メニュー画面ＭＮは、「ファイル」、「編集」、「印刷」等の大項目を有するとともに、各大項目の下位項目として、小項目（サブ項目）をさらに有している。たとえば、「編集」メニューは、「ページ入替」、「傾き補正」、「天地逆転」、「ゴミ取り」、「消しゴム」、「太線化」、「誤字脱字校正」などの小項目を有している。
【００４１】
これらのメニュー項目の中から、操作者ＰＢによるマウス操作によって適宜のメニュー項目（大項目および小項目）が選択される。そして、編集装置７０等は、選択されたメニュー項目に対応する処理を実行する。たとえば、「編集」の「ページ入替」が選択されると、印刷物内のページの入替処理（編集処理）に関する処理が行われる。あるいは、「編集」の「ゴミ取り」が選択されると、印刷物における「ゴミ取り」処理（編集処理）に関する処理が行われる。「編集」に関するその他の処理についても同様であり、それぞれ、選択された項目に対応する編集処理等が実行される。また、メニュー項目の「印刷」が選択されると、編集後（例えば「ページ入替」処理後）の入稿データＤＮに係る印刷物が印刷出力される。
【００４２】
以下では、まず、「ページ入替」に関する編集動作等について説明する。
【００４３】
＜２−２．「ページ入替」に関する編集動作＞
ここでは、編集装置７０の操作者ＰＢが、電話連絡あるいはメール連絡等によって、入稿者ＰＡからの修正指示、具体的には「第３頁を第１頁の前に移動すべき」旨の修正指示を受けている状況を想定する。
【００４４】
図４は、このような状況におけるその後の動作を示す図である。
【００４５】
まず、編集装置７０の操作者ＰＢは、メニュー画面ＭＮ（図３）の複数のメニュー項目の中から「編集」の「ページ入替」を選択して当該項目の実行指示ＲＡ１を付与する。この選択操作に応答して、編集装置７０は、入稿データ（暗号化データ）ＤＮと実行指示ＲＡ１に対応する実行指令データＤＡ（ＤＡ１）とを印刷装置５０に向けて送信する（ステップＳ１１）。詳細には、編集装置７０は、入稿データＤＮを入稿データストア３０から印刷装置５０に転送させるとともに、実行指令データＤＡ１をも印刷装置５０に向けて送信する（ステップＳ１１）。実行指令データ（単に実行指令とも称する）ＤＡ１は、編集操作（「ページ入替」操作）に関する編集用画像ＧＥ１の生成処理を復号部６３を用いて実行すべき旨を示す指令データである。すなわち、実行指令ＤＡ１は、編集用画像ＧＥ１の生成指令である。なお、入稿データＤＮは、編集装置７０からの送信指令に応じて入稿データストア３０から直接的に印刷装置５０に送信されてもよく、あるいは編集装置７０を一旦経由して印刷装置５０に送信されてもよい。同様に、実行指令ＤＡ１も、編集装置７０から直接的に印刷装置５０に送信されてもよく、あるいは編集装置７０から入稿データストア３０を一旦経由して印刷装置５０に送信されてもよい。
【００４６】
実行指令ＤＡ１に応答して、印刷装置５０は、実行指令ＤＡ１と入稿データＤＮとに基づいて、編集用画像ＧＥ１の表示用データＤＳ１を生成する（ステップＳ１２）。
【００４７】
具体的には、印刷装置５０は、まず、復号部６３を用いて入稿データ（暗号化データ）ＤＮの一部または全部（ここでは全部）を復号化する。そして、印刷装置５０の出力制御部６１は、編集用画像ＧＥ１の表示用データＤＳ１として、入稿データＤＮに関する印刷物とは非等価の復号化画像である「非等価復号化画像」（次述）のデータを生成する。
【００４８】
より詳細には、出力制御部６１は、一旦復号化した画像データに対して解像度変換処理（解像度低減処理）を施すことによって、その解像度を低減した画像データＤＳ１を生成する。この画像データＤＳ１は、印刷物に係る元の画像データＤＳ０よりも低い解像度を有する画像データである。画像データＤＳ１に係る画像は、低解像度画像として復号化された画像、換言すれば元の画像に関する少なくとも一部の情報が実質的に失われた画像に相当し、画像データＤＳ０に係る元の画像とは非等価であるため、「非等価復号化画像」とも称される。また、「解像度低減処理」は、処理対象画像を画像データＤＳ０に係る画像とは等価でない画像（非等価の画像）に変更する処理であるため、「非等価化処理」であるとも表現される。なお、「非等価復号化画像」は、元の印刷物を完全に復号化した状態ではない画像（非完全復号状態の復号化画像）、端的に言えば「非完全復号化画像」であるとも表現される。
【００４９】
たとえば、入稿データＤＮが複数（３つ）のページを有する場合（図１参照）には、出力制御部６１は、各ページに関して、入稿データＤＮを復号部６３を用いて一旦復号化した画像データＤＳ０（例えば３００ｄｐｉ相当の画素数を有する画像データ）を生成する。さらに、出力制御部６１は、各ページの画像データＤＳ０に対してそれぞれ解像度低減処理（例えば数分の１〜数十分の１程度に解像度を低減する処理）を施して、「非等価復
号化画像」である画像データＤＳ１（例えば１０ｄｐｉ相当の画素数を有する画像データ）をそれぞれ生成する。端的に言えば、元の各画像データＤＳ０に対する各サムネイル画像データＤＳ１がそれぞれ生成される。
【００５０】
このように、印刷装置５０は、入稿データＤＮを復号部６３を用いて復号化した画像（画像データＤＳ０）に対して非等価化処理を施し、入稿データＤＮに関する印刷物とは非等価の復号化画像である非等価復号化画像を編集用画像ＧＥ１として生成する。
【００５１】
そして、印刷装置５０は、非等価復号化画像を編集用画像ＧＥ１として編集装置７０に向けて送信する。具体的には、印刷装置５０は、通信部５４等を用いて、編集用画像ＧＥ１の表示用データとして、３つのページに係る３つの画像データＤＳ１を編集装置７０に向けて送信する（ステップＳ１２）。
【００５２】
編集装置７０は、当該表示用データＤＳ１を受信すると、当該表示用データＤＳ１に基づいて編集用画像ＧＥ１を編集装置７０の表示部７７に表示する（ステップＳ１３）。換言すれば、編集装置７０は、表示用データＤＳ１に基づく「非等価復号化画像」を編集用画像ＧＥ１として表示する。たとえば、図５に示すように、表示用データＤＳ１に基づく３つのページ画像（サムネイル画像）ＧＥ１がページ順序に従って左から右に順次に配列されて表示部７７に表示される。各ページの画像データＤＳ１は、それぞれ元の画像データＤＳ０の解像度よりも低い解像度を有するため、各画像データＤＳ１の表示画像ＧＥ１は、ぼやけて視認される。
【００５３】
つぎに、ステップＳ１４において、編集装置７０の操作者ＰＢは、このような非等価復号化画像（編集用画像）ＧＥ１を用いて、入稿データＤＮに関する編集指示ＲＥ１を入力する。たとえば、第３ページのサムネイル画像を第１ページのサムネイル画像の左側に移動させるマウス操作（ドラッグアンドドロップ操作）等によって、「入稿データＤＮにおける第３ページを第１ページの直前に移動させる」旨の編集指示ＲＥ１が入力される。
【００５４】
編集装置７０は、当該編集指示ＲＥ１を受け付けると、当該編集指示ＲＥ１に基づく編集内容を示す編集内容データＤＥ（ＤＥ１）を生成する。編集指示ＲＥ１は、当該編集指示の内容（編集内容）を示すスクリプト等に変換されて編集内容データＤＥ１に記述される。そして、編集装置７０は、編集内容データＤＥ１を印刷装置５０に向けて送信する（ステップＳ１４）。これにより、編集内容に関するスクリプト等を有する編集内容データＤＥ１が、印刷装置５０に向けて送信される。また、編集装置７０は、入稿データ（暗号化データ）ＤＮを再び入稿データストア３０から印刷装置５０に転送させる。
【００５５】
印刷装置５０は、ステップＳ１５において、実際に編集処理を実行して編集処理後の画像（編集後画像）ＧＥ２を生成する。具体的には、印刷装置５０は、編集後画像ＧＥ２の表示用データＤＳ２として、入稿データＤＮに関する印刷物とは非等価の復号化画像である「非等価復号化画像」のデータを生成する。なお、編集後画像ＧＥ２は、編集内容確認用の画像（確認用画像）であるとも表現される。また、編集後画像ＧＥ２は、編集作業のうちの確認作業用の画像であることから、編集用画像であるとも表現される。
【００５６】
より詳細には、印刷装置５０の出力制御部６１は、まず、復号部６３を用いて入稿データ（暗号化データ）ＤＮの一部または全部（ここでは全部）を再び復号化する。また、出力制御部６１は、編集内容データＤＥ１に記述されたスクリプトに基づいて、入稿データＤＮの復号化画像に対する編集処理を実行する。詳細には、「（元の）第３ページを第１ページの直前に移動させる」編集処理が実行される。さらに、出力制御部６１は、当該編集処理後の各ページの画像データＤＳ０（復号化画像）に対してそれぞれ解像度低減処理を施して、「非等価復号化画像」である画像データＤＳ２をそれぞれ生成する。これにより、元の各画像データＤＳ０に対する各サムネイル画像データＤＳ２（ページ順序変更後のサムネイル画像データ）が生成される。
【００５７】
その後、印刷装置５０は、通信部５４等を用いて、編集後画像ＧＥ２の表示用データとして、３つのページに係る３つの画像データＤＳ２を編集装置７０に向けて送信する。
【００５８】
編集装置７０は、当該表示用データＤＳ２を受信すると、当該表示用データＤＳ２に基づいて編集後画像ＧＥ２を編集装置７０の表示部７７に表示する（ステップＳ１６）。換言すれば、編集装置７０は、表示用データＤＳ２に基づく「非等価復号化画像」を編集後画像ＧＥ２として表示する。たとえば、図６に示すように、表示用データＤＳ２に基づく３つのページ画像がページ順序に従って左から右に順次に配列されて表示部７７に表示される。なお、各ページの画像データＤＳ２は、それぞれ元の画像データＤＳ０の解像度よりも低い解像度を有するため、各画像データＤＳ２の表示画像は、ぼやけて視認される。
【００５９】
操作者ＰＢは、表示部７７における更新後の画面を視認して、上記の編集処理の結果を確認する（ステップＳ１７）。たとえば、操作者ＰＢは、図６の表示画面に基づいて、ページ順序が指示通りに変更されていることを確認して、ＯＫボタンＢＮ１を押下する。当該ＯＫボタンＢＮ１の押下に応答して、編集装置７０は、入稿データストア３０において上記の編集内容データＤＥ１を入稿データＤＮに関連付けて保存させる。これにより、編集処理が終了する。なお、操作者ＰＢは、自らの意図とは異なる変更がなされていると判断する場合は、キャンセルボタンＢＮ２を押下して、上記の編集処理をキャンセルすることができる。キャンセル操作がなされた場合には、編集内容データＤＥ１は削除され、編集内容は保存されない。
【００６０】
以上のような動作によれば、印刷装置５０は、その復号部６３を用いて入稿データＤＮを復号化した画像に基づいて非等価復号化画像ＧＥ１（，ＧＥ２）を編集用画像として生成する。そして、編集装置７０は、非等価復号化画像ＧＥ１（，ＧＥ２）を編集用画像として表示する。そのため、印刷装置５０の復号部６３のみが入稿データＤＮの復号化処理を行うことが可能である状態を維持しつつ、編集装置７０による編集操作が許容される。したがって、セキュリティを確保しつつ、修正の自由度を向上させることが可能である。
【００６１】
特に、編集装置７０においては、（元の印刷物とは非等価の復号化画像である）非等価復号化画像ＧＥ１（，ＧＥ２）が編集用画像として表示され、元の印刷物と等価の画像は表示されない。そのため、編集装置７０における画像表示が無制限に許容される場合（元の印刷物と等価の画像が表示される場合）と比較して、元の印刷物と等価の情報が編集装置７０から流出する危険を回避ないし抑制することができる。
【００６２】
より詳細には、編集装置７０による編集時においては、入稿データＤＮに関するサムネイル画像（低解像度画像）が編集用画像として表示され、入稿データＤＮに係る印刷物と等価な高精細な画像は表示されない。したがって、編集時における表示部７７の表示内容から秘密情報が流出する危険を回避ないし抑制することができる。より詳細には、編集装置７０の表示部７７を見た操作者、編集装置７０の表示部７７を盗み見た人物、あるいは編集装置７０の表示部７７を盗撮した人物等が入稿データＤＮの情報をそのまま入手する危険を回避ないし抑制することができる。
【００６３】
なお、「編集」メニューの「傾き補正」あるいは「天地逆転」が選択された際にも、上記と同様の動作が実行され、同様の効果を得ることができる。
【００６４】
＜２−３．「ゴミ取り」に関する編集動作＞
つぎに、「ゴミ取り」に関する編集動作等について説明する。
【００６５】
ここでは、編集装置７０の操作者ＰＢが、電話連絡あるいはメール連絡等によって、入稿者ＰＡからの修正指示、具体的には「第１頁の上下方向中央且つ左から５ｃｍの位置付近のゴミを排除すべき」旨の修正指示を受けている状況を想定する。
【００６６】
図７は、このような状況における編集動作を示す図である。
【００６７】
まず、操作者ＰＢがメニュー画面ＭＮ（図３）の複数のメニュー項目の中から「編集」の「ゴミ取り」を選択して当該項目の実行指示ＲＡ１１を付与する。この選択操作に応答して、編集装置７０は、入稿データＤＮと実行指示ＲＡ１１に対応する実行指令データＤＡ１１とを印刷装置５０に向けて送信する（ステップＳ２１）。詳細には、入稿データ（暗号化データ）ＤＮを入稿データストア３０から印刷装置５０に転送させるとともに、実行指令データＤＡ１１を印刷装置５０に送信する（ステップＳ２１）。実行指令データ（単に実行指令とも称する）ＤＡ１１は、編集操作（「ゴミ取り」操作）に関する編集用画像ＧＥ１１の生成処理を復号部６３を用いて実行すべき旨を示す指令データでもある。すなわち、実行指令ＤＡ１１は、編集用画像ＧＥ１１の生成処理指令でもある。
【００６８】
これに対して、印刷装置５０は、実行指令ＤＡ１１と入稿データＤＮとに基づいて、編集用画像ＧＥ１１の表示用データＤＳ１１を生成する（ステップＳ２２）。ここでは、上記の表示用データＤＳ１と同じデータが表示用データＤＳ１１として生成されるものとする。
【００６９】
その後、印刷装置５０は、通信部５４等を用いて、編集用画像ＧＥ１１の表示用データＤＳ１１を編集装置７０に向けて送信する（ステップＳ２２）。
【００７０】
編集装置７０は、当該表示用データＤＳ１１を受信すると、当該表示用データＤＳ１１に基づいて編集用画像ＧＥ１１を編集装置７０の表示部７７に表示する（ステップＳ１３）。たとえば、図８に示すように、表示用データＤＳ１１に基づく３つのページ画像（サムネイル画像）ＧＥ１１がページ順序に従って左から右に順次に配列されて表示部７７に表示される。各ページの画像データＤＳ１１は、それぞれ元の画像データＤＳ０の解像度よりも低い解像度を有するため、各画像データＤＳ１１の表示画像ＧＥ１１は、ぼやけて視認される。
【００７１】
また、操作者ＰＢは、今度は、ゴミ取り位置指定用の拡大画像の生成にあたり拡大範囲の指定指示ＲＡ１２を、この表示画像ＧＥ１１を用いて付与する。具体的には、操作者ＰＢは、拡大範囲を指定するための矩形領域ＲＬ（図８参照）をマウス操作等によって所望の位置に移動させ、拡大ボタンＢＮ１１を押下する。この矩形領域ＲＬは、全体画像に対して非常に小さな割合（例えば数％〜１０％）以下の面積を有するものであることが好ましい。なお、ここでは、矩形領域ＲＬは、固定された所定割合の大きさを有しているものとするが、これに限定されず、その大きさが変更されるようにしてもよい。ただし、矩形領域ＲＬの最大サイズは、全体面積に対して比較的小さな値（例えば全体面積の数％〜１０％程度）に設定されることが好ましい。
【００７２】
このような実行指示ＲＡ１２に応答して、編集装置７０は、入稿データ（暗号化データ）ＤＮを入稿データストア３０から印刷装置５０に転送させるとともに、実行指示ＲＡ１２に対応する実行指令データＤＡ１２をも印刷装置５０に向けて送信する（ステップＳ２４）。実行指令データ（単に実行指令とも称する）ＤＡ１２は、全体画像中における拡大範囲を指定して、ゴミ位置指定用の部分拡大画像を作成すべき旨を含む指令データである。
【００７３】
これに対して、印刷装置５０は、実行指令ＤＡ１２と入稿データＤＮとに基づいて、編集用画像ＧＥ１２の表示用データＤＳ１２を生成する（ステップＳ２５）。
【００７４】
具体的には、印刷装置５０は、まず、復号部６３を用いて入稿データ（暗号化データ）ＤＮの一部または全部（ここでは一部、より詳細には第１ページのみ）を復号化する。
【００７５】
そして、印刷装置５０の出力制御部６１は、編集用画像ＧＥ１２の表示用データＤＳ１２として、入稿データＤＮに関する印刷物とは非等価の復号化画像である「非等価復号化画像」のデータを生成する。より詳細には、出力制御部６１は、一旦復号化した画像データの一部を抽出する一部抽出処理（部分抽出処理）を施すことによって、印刷物に関する全体画像のうち一部の範囲のみを復号化した画像の画像データＤＳ１２を生成する。画像データＤＳ１２に係る画像は、全体画像（ページ画像）のうちの一部の範囲のみを復号化した画像、換言すれば、元の画像に関する少なくとも一部の情報が実質的に失われた画像に相当し、画像データＤＳ０に係る元の画像（全体画像）とは非等価であるため、「非等価復号化画像」とも表現される。なお、当該画像データＤＳ１２は、「部分復号化画像」などとも表現される。また、「部分抽出処理」は、処理対象画像を画像データＤＳ０に係る画像とは等価でない画像（非等価の画像）に変更する処理であるため、「非等価化処理」であるとも表現される。
【００７６】
たとえば、出力制御部６１は、入稿データＤＮの第１ページの画像を復号化した画像データＤＳ０（例えば３００ｄｐｉ相当の画素数を有する画像データ）を復号部６３を用いて生成する。さらに、出力制御部６１は、第１ページの復号化画像の画像データＤＳ０の一部分（矩形領域ＲＬに対応する部分）のみを抽出した画像の画像データＤＳ１２（ここでは、元の印刷物の解像度と同等の解像度（３００ｄｐｉ）相当の画素数を有する画像データ）を生成する。ただし、上述したように、画像データＤＳ１２に係る画像ＧＥ１２は、全体画像のうち一部の範囲（例えば数％〜１０％程度の範囲）のみを復号化した画像に相当する。
【００７７】
その後、印刷装置５０は、通信部５４等を用いて、編集用画像ＧＥ１２の表示用データとして、部分拡大画像の画像データＤＳ１２を編集装置７０に向けて送信する（ステップＳ２５）。
【００７８】
編集装置７０は、当該表示用データＤＳ１２を受信すると、図９に示すように、当該表示用データＤＳ１２に基づいて編集用画像（部分拡大画像）ＧＥ１２を編集装置７０の表示部７７に表示する（ステップＳ２６）。換言すれば、編集装置７０は、表示用データＤＳ１２に基づく「非等価復号化画像」を編集用画像ＧＥ１２として表示する。編集用画像ＧＥ１２は、第１ページの全体画像のうちの一部の範囲に限定されており、全体画像は表示されない。
【００７９】
つぎに、ステップＳ２７において、編集装置７０の操作者ＰＢは、このような非等価復号化画像（編集用画像）ＧＥ１２を用いて、入稿データＤＮに関する編集指示ＲＥ１１を入力する。たとえば、第１ページの部分拡大画像におけるゴミＬＴの位置（ゴミ位置）を、十字カーソルＸＬと決定ボタンＢＮ１２とを用いて指定する。十字カーソルＸＬがゴミ位置に移動されて決定ボタンＢＮ１２が押下されると、編集装置７０は、十字カーソルＸＬの座標位置をゴミ位置として指定する編集指示ＲＥ１１が入力されたものと判定する。
【００８０】
編集装置７０は、当該編集指示ＲＥ１１を受け付けると、当該編集指示ＲＥ１１に基づく編集内容を示す編集内容データＤＥ１１を生成する。編集指示ＲＥ１１は、当該編集指示の内容（編集内容）を示すスクリプト等に変換されて編集内容データＤＥ１１に記述される。編集内容データＤＥ１１には、「ゴミ取り」編集処理を行うことを示す指令情報と、その詳細情報（ゴミ取り処理対象ページのページ番号「１」とゴミＴＬのページ内での座標位置（Ｘ，Ｙ）とに関する情報等）とが含まれる。そして、編集装置７０は、編集内容データＤＥ１１を印刷装置５０に向けて送信する（ステップＳ２７）。これにより、編集内容に関するスクリプト等を有する編集内容データＤＥ１１が、印刷装置５０に向けて送信される。また、編集装置７０は、入稿データ（暗号化データ）ＤＮを再び入稿データストア３０から印刷装置５０に転送させる。
【００８１】
印刷装置５０は、ステップＳ２８において、編集後画像ＧＥ２２の表示用データＤＳ２２として、入稿データＤＮに関する印刷物とは非等価の復号化画像である「非等価復号化画像」のデータを生成する。
【００８２】
具体的には、印刷装置５０の出力制御部６１は、まず、復号部６３を用いて入稿データ（暗号化データ）ＤＮの一部または全部（ここでは一部、より詳細には第１ページのみ）を再び復号化する。また、出力制御部６１は、第１ページの画像データＤＳ０（復号化画像）に対して部分抽出処理を施して、「非等価復号化画像」（詳細には部分抽出画像）である画像データＤＳ２１を生成する。
【００８３】
さらに、出力制御部６１は、編集内容データＤＥ１１に記述されたスクリプトに基づいて、画像データＤＳ２１に対する編集処理を実行する。詳細には、「第１ページの座標位置（Ｘ，Ｙ）のゴミを除去する」ゴミ取り処理が実行される。
【００８４】
これにより、第１ページの部分抽出画像データＤＳ２２（ゴミ取り処理後の部分抽出画像データ）が生成される。
【００８５】
その後、印刷装置５０は、通信部５４等を用いて、編集後画像ＧＥ２２の表示用データとして、ゴミ取り処理後の第１ページの部分抽出画像データＤＳ２２を編集装置７０に向けて送信する。
【００８６】
編集装置７０は、当該表示用データＤＳ２２を受信すると、当該表示用データＤＳ２２に基づいて編集後画像ＧＥ２２を編集装置７０の表示部７７に表示する（ステップＳ２９）。たとえば、図１０に示すように、表示用データＤＳ２２に基づく部分抽出画像（ゴミ取り処理後の部分画像）が表示部７７に表示される。なお、表示用データＤＳ２２は、第１ページの全体画像のうちの一部の範囲に対応するデータである。換言すれば、編集装置７０は、表示用データＤＳ２２に基づく「非等価復号化画像」を編集後画像ＧＥ２２として表示する。
【００８７】
そして、操作者ＰＢは、表示部７７における更新後の画面を視認して、上記の編集処理の結果を確認する（ステップＳ３０）。たとえば、操作者ＰＢは、図１０の表示画面に基づいて、「ゴミ」が指示通りに除去されていることを確認して、ＯＫボタンＢＮ１５を押下する。当該ＯＫボタンＢＮ１５の押下に応答して、編集装置７０は、入稿データストア３０において上記の編集内容データＤＥ１１を入稿データＤＮに関連付けて保存させる。これにより、編集処理が終了する。なお、操作者は、自らの意図とは異なる変更がなされていると判断する場合は、キャンセルボタンＢＮ１６を押下して、上記の編集処理をキャンセルすることができる。キャンセル操作がなされた場合には、編集内容データＤＥ１１は削除され、編集内容は保存されない。
【００８８】
以上のような動作によれば、印刷装置５０の復号部６３のみが入稿データＤＮの復号化処理を行うことが可能である状態を維持しつつ、編集装置７０による編集操作が許容される。特に、編集装置７０においては、（元の印刷物とは非等価の復号化画像である）非等価復号化画像ＧＥ１１，ＧＥ１２，ＧＥ２２が編集用画像として表示され、元の印刷物と等価の画像は表示されない。そのため、編集装置７０における画像表示が無制限に許容される場合（元の印刷物と等価の画像が表示される場合）と比較して、元の印刷物と等価の情報が編集装置７０から流出する危険を回避ないし抑制することができる。
【００８９】
また特に、編集装置７０による編集時においては、入稿データＤＮに関するサムネイル画像（低解像度画像）ＧＥ１１（図８）が編集用画像として表示され、入稿データＤＮに係る印刷物と等価な高精細な画像は表示されない。そのため、編集時における表示部７７の表示内容から秘密情報が流出する危険を回避ないし抑制することができる。
【００９０】
また特に、編集装置７０による編集時においては、入稿データＤＮに関する部分抽出画像ＧＥ１２（図９）が編集用画像として表示され、入稿データＤＮに係る印刷物と等価な全体画像は表示されない。すなわち、表示部７７に表示されるのは画像の全体ではなく全体画像のうちの一部分のみである。したがって、編集時における表示部７７の表示内容から秘密情報が流出する危険を回避ないし抑制することができる。
【００９１】
なお、「編集」メニューの「消しゴム」あるいは「太線化」が選択された際にも、「ゴミ取り」が選択された際の動作と同様の動作が実行され、同様の効果を得ることができる。
【００９２】
＜２−４．「誤字脱字校正」に関する編集動作＞
つぎに、「誤字脱字校正」に関する編集動作等について説明する。
【００９３】
「誤字脱字校正」に関する編集動作は、上記の「ゴミ取り」に関する編集動作と同様にして実行される。以下では、相違点を中心に説明する。
【００９４】
この「誤字脱字校正」においては、「ゴミ位置」が指定される代わりに、「誤字脱字位置」が指定されるとともに変更前後の「文字」が指定される。
【００９５】
たとえば、ステップＳ２７（図７）に対応する処理においては、図１１のような表示画像を用いて、変更対象の文字の位置（Ｘ，Ｙ）と変更前の文字「ｂ」と変更後の文字「ａ」とが操作者ＰＢによって指定される。具体的には、矩形状の枠線ＲＬで囲むことによって変更対象の文字「ｂ」と当該文字の位置が指定されるとともに、変更後の文字が文字列入力欄ＢＸ３４に入力されて指定される。決定ボタンＢＮ３２が押下されると、当該示内容が確定される。また、変更対象文字のページ番号「３」は、ステップＳ２３（図７）に対応する処理において指定される。これらの指定情報（変更対象文字のページ番号「３」と変更対象の文字の位置（Ｘ，Ｙ）と変更前の文字「ｂ」と変更後の文字「ａ」とを含む編集情報）は、「誤字脱字校正」に関する編集内容データに含まれる。
【００９６】
また、「誤字脱字校正」に関しては、ステップＳ２５，Ｓ２６に対応する処理においては、図１１に示すように、抽出範囲（拡大対象範囲）内の「文字」に対してノイズＮＺが付与された画像が、部分抽出画像として生成され、表示される。そして、当該部分抽出画像を用いて、ステップＳ２７での編集指示受付処理等が実行される。
【００９７】
これによれば、上記の「ゴミ取り」に関する編集時の効果と同様の効果が得られることに加えて、光学文字認識（ＯＣＲ（Optical Character Recognition））技術を用いて表示画像内の文字がコード化されること、をも防止することが可能である。すなわち、「画像としての文字」が「コード化された文字」に変換されることを防止することが可能である。したがって、当該表示画面に表示された情報は二次利用され難くなり、データ流出に対する抑止効果をさらに向上させることができる。
【００９８】
＜２−５．印刷動作＞
その後、入稿データＤＮは、印刷装置５０に内蔵された復号部６３（図２参照）を用いて復号化され、印刷装置５０により印刷出力され得る。具体的には、上記のような編集処理の後に、編集装置７０の操作者ＰＢは、メニュー項目の「印刷」を選択することなどによって、入稿データＤＮの印刷処理を印刷装置５０に実行させることができる。なお、当該印刷処理は、上述の編集処理の直後に実行されてもよく、あるいは、上述の編集処理終了から所定期間が経過した後に実行されてもよい。
【００９９】
図１２は、このような印刷動作を示す図である。
【０１００】
図１２に示すように、ステップＳ６１において、まず、編集装置７０の操作者ＰＢは、メニュー項目の「印刷」を選択することなどによって、入稿データＤＮに対する印刷指示ＲＰ１を入力する。編集装置７０は、当該印刷指示ＲＰ１を受け付けると、当該印刷指示ＲＰ１をスクリプトとして記述した印刷指示データＤＰ１を作成する。そして、編集装置７０は、当該印刷指示データＤＰ１と上記の編集内容データＤＥ（ＤＥ１，ＤＥ１１等）と入稿データ（暗号化データ）ＤＮとを印刷装置５０に向けて送信する。詳細には、編集装置７０は、これらのデータＤＰ１，ＤＥ，ＤＮを入稿データストア３０を介して印刷装置５０に送信させる。
【０１０１】
つぎに、印刷装置５０は、印刷指示データＤＰ１等を受信すると、印刷出力用データＤＺを生成する（ステップＳ６２）。
【０１０２】
具体的には、印刷装置５０の出力制御部６１は、まず、復号部６３を用いて入稿データ（暗号化データ）ＤＮの全部を復号化して復号化画像の画像データＤＳ０を生成する。
【０１０３】
そして、出力制御部６１は、編集内容データＤＥに記述されたスクリプトに基づいて、復号化画像データＤＳ０に対して編集処理を再び実行し、印刷出力用データＤＺを生成する。
【０１０４】
例えば、上記のページ入替編集後における印刷出力時においては、「（元の）第３ページを第１ページの直前に移動させる」編集処理（編集内容データＤＥ１に記述された編集処理）が復号化画像データＤＳ０に対して再び実行される。そして、編集処理結果に基づいて印刷出力用データＤＺ（ＤＺ１）が生成される。ただし、この印刷出力用データＤＺは、非等価化処理（解像度低減処理および部分抽出処理）を伴わずに生成される。すなわち、印刷出力用データＤＺは、印刷物の本来の解像度と同じ解像度を有し且つ印刷物の全体範囲の画像に係るものである。なお、印刷出力用データＤＺに係る画像は、入稿データＤＮに係る画像と等価の画像であり、「等価復号化画像」とも称される。また、印刷出力用データＤＺに係る画像は、入稿データＤＮを完全に復号化した画像であるため、「完全復号化画像」であるとも称される。
【０１０５】
あるいは、上記のゴミ取り編集後における印刷出力時においては、「ページ番号「３」内の座標位置（Ｘ，Ｙ）のゴミを除去する」編集処理（編集内容データＤＥ１１に記述された編集処理）が再び実行され、編集処理結果を反映した「等価復号化画像」に係る印刷出力用データＤＺ（ＤＺ１１）が生成される。
【０１０６】
その他の各種の編集処理後における印刷出力処理時においても、同様にして、編集内容データＤＥに記述されたスクリプトに基づいて、復号化画像に対する編集処理が更に実行され、編集処理結果を反映した「等価復号化画像」に係る印刷出力用データＤＺが生成される。
【０１０７】
そして、印刷装置５０は、印刷出力用データＤＺに基づく印刷出力動作を実行し、入稿データＤＮに関する印刷物、詳細には、編集処理後（「ページ入替」処理および／または「ゴミ取り」処理後など）の印刷物を印刷出力する。これにより、編集処理結果が反映された印刷出力物が生成される。
【０１０８】
＜３．その他＞
以上、この発明の実施の形態について説明したが、この発明は上記説明した内容のものに限定されるものではない。
【０１０９】
たとえば、上記実施形態においては入稿データＤＮがデータＤＡ，ＤＥの送信に伴って印刷装置５０へと逐次送信（複数回送信）される場合を例示したが、これに限定されない。具体的には、入稿データＤＮは、編集操作受付後の初期段階（最初のデータＤＡの送信時等）において印刷装置５０へと送信されるとともに、編集処理の終了時点まで印刷装置５０に保存されたままであってもよい。すなわち、入稿データＤＮは最初の１回のみ送信されるようにしてもよい。これによれば、入稿データＤＮの送信回数を削減し、入稿データＤＮのデータ送信に要する通信負荷（通信時間等）を抑制することが可能である。
【０１１０】
また、上記実施形態においては、入稿データストア３０が印刷装置５０および編集装置７０とは別個に設けられる場合を例示したが、これに限定されない。たとえば、入稿データストア３０は、印刷装置５０に内蔵されるようにしてもよく、あるいは、編集装置７０に内蔵されるようにしてもよい。
【０１１１】
また、上記実施形態においては、１つの入稿データＤＮに対して１つの編集項目に関する編集処理が行われる場合を主に例示したが、これに限定されない。たとえば、１つの入稿データＤＮに対して複数の編集項目に関する編集処理が順次に行われるようにしてもよい。この場合には、第ｎ番目の編集項目に関する編集処理においては、編集内容データＤＥに従って、それ以前の編集項目（第（ｎ−１）番目までの編集項目）に関する編集処理が施された後に第ｎ番目の編集項目に関する編集処理もが施されるような非等価復号化処理が実行されればよい。なお、編集内容データＤＥには、複数の編集項目に関する編集内容を示すスクリプトが順次に記述されるようにすればよい。また、印刷出力時においては、複数の編集項目に関する編集内容が記述された編集内容データＤＥに従って復号化処理が行われればよい。
【０１１２】
また、上記実施形態においては、編集装置７０で編集処理の実行指示が受け付けられ、編集内容が確認される際にも印刷装置５０が実際に編集処理を実行する場合を例示したが、これに限定されない。たとえば、編集内容確認の際には印刷装置５０による編集処理は実行されず、編集内容確認のための確認用画像（編集用画像）ＧＥ２，ＧＥ２２は編集装置７０によって作成されるようにしてもよい。
【符号の説明】
【０１１３】
１  印刷システム
１０  入稿者側端末
３０  入稿データストア
５０  印刷装置
７０  編集装置
ＤＥ，ＤＥ１，ＤＥ１１  編集内容データ
ＤＮ  入稿データ
ＧＥ１，ＧＥ１１  編集用画像（非等価復号化画像）
ＧＥ２，ＧＥ２２  確認用画像（非等価復号化画像）
ＬＴ  ゴミ
ＭＮ  メニュー画面
ＰＡ  入稿者
ＰＢ  操作者
ＲＥ１，ＲＥ１１  編集指示
【図１】
0005234081.tif 000002
【図２】
0005234081.tif 000003
【図３】
0005234081.tif 000004
【図４】
0005234081.tif 000005
【図７】
0005234081.tif 000006
【図９】
0005234081.tif 000007
【図１０】
0005234081.tif 000008
【図１１】
0005234081.tif 000009
【図１２】
0005234081.tif 000010
【図５】
0005234081.tif 000011
【図６】
0005234081.tif 000012
【図８】
0005234081.tif 000013